(57)【要約】【課題】省電力を保ちつつＥＶＦ表示切替え速度を向上させること。【解決手段】撮像手段と、表示手段と、外部の表示装置が接続される接続手段と、加速度センサと、前記外部の表示装置から、前記外部の表示装置に対するユーザの接眼検知の情報を取得する手段と、前記加速度センサの出力と、前記接眼検知の情報とに基づいて、前記撮像手段からの画像の出力先を、前記表示手段と前記外部の表示装置のいずれかに切り替える手段と、を有することを特徴とする。【選択図】図１
2019020553.tif 000002
【特許請求の範囲】
【請求項１】
撮像手段と、
表示手段と、
外部の表示装置が接続される接続手段と、
加速度センサと、
前記外部の表示装置から、前記外部の表示装置に対するユーザの接眼検知の情報を取得する手段と、
前記加速度センサの出力と、前記接眼検知の情報とに基づいて、前記撮像手段からの画像の出力先を、前記表示手段と前記外部の表示装置のいずれかに切り替える手段と、
を有することを特徴とする撮像装置。
【請求項２】
前記加速度センサによる状態変化に応じて、前記接眼検知の情報を取得するタイミングを変更することを特徴とする請求項１に記載の撮像装置。
【請求項３】
前記加速度センサによる状態変化が前→後または下→上の場合に前記接眼検知の情報の取得タイミングを高速化することを特徴とする請求項２に記載の撮像装置。
【請求項４】
前記接眼検知の情報を取得するタイミングを高速化している場合において、前記接眼検知を検出した場合、あるいは一定時間接眼検知が行われない場合は高速化を終了することを特徴とする請求項３に記載の撮像装置。
【発明の詳細な説明】
【技術分野】
【０００１】
本発明は、撮像装置に関する。
【背景技術】
【０００２】
着脱可能な電子ビューファインダ（ＥＶＦ）の接眼検知情報をＥＶＦ情報として取得するシステムの場合、ＥＶＦ側の接眼検知情報取得のサンプリングに加え、本体側がＥＶＦ情報を取得するためのサンプリングタイミングが加算されるためＥＶＦ情報取得のタイミング分表示切り替えが遅くなる場合がある。また、切替え高速化のために常時サンプリング速度を上げると、システム負荷が大きく、また電力消費も増える。
【０００３】
特許文献１には、２系統のファインダー手段を持つ撮像装置において角速度センサ情報を元に撮影者の画像確認状況を予測し、表示切替え速度を向上させる提案がなされている。特許文献２には、２系統のファインダー手段を持つ撮像装置において表示切替えに接眼検知機能を利用する提案がなされている。
【先行技術文献】
【特許文献】
【０００４】
【特許文献１】特開２０１０−４２４６号公報
【特許文献２】特開２００１−１８６３８４号公報
【発明の概要】
【発明が解決しようとする課題】
【０００５】
特許文献１では２系統のファインダー手段を持つ撮像装置において角速度センサ情報を元に撮影者の画像確認状況を予測し、表示切替え速度を向上させる提案がなされているが、ＥＶＦ使用時において移動判定開始の設定が必要で、且つ撮像装置の移動量のみを元に表示切替えを行うため、使用者がＥＶＦにて画像を確認しながら上下移動した際に、表示が切り替わる恐れがある。
【０００６】
特許文献２では２系統のファインダー手段を持つ撮像装置において表示切替えに接眼検知機能を利用しているが、接眼されていない状態では常に接眼検知頻度を高くしているため、非接眼時の接眼検知処理による処理負荷および電力消費が大きい。
【０００７】
そこで、本発明は、省電力を保ちつつＥＶＦ表示切替え速度を向上させることを目的とする。
【課題を解決するための手段】
【０００８】
上記の目的を達成するために、本発明に係る撮像装置は、
撮像手段と、表示手段と、外部の表示装置が接続される接続手段と、加速度センサと、前記外部の表示装置から、前記外部の表示装置に対するユーザの接眼検知の情報を取得する手段と、前記加速度センサの出力と、前記接眼検知の情報とに基づいて、前記撮像手段からの画像の出力先を、前記表示手段と前記外部の表示装置のいずれかに切り替える手段と、を有することを特徴とする。
【発明の効果】
【０００９】
本発明に係る撮像装置によれば、省電力を保ちつつＥＶＦ表示切替え速度を向上させることができる。
【図面の簡単な説明】
【００１０】
【図１】実施形態の撮像装置の動作フローチャートである。
【図２】撮像装置と外付けＥＶＦのブロック図である。
【発明を実施するための形態】
【００１１】
以下、本発明の実施の形態を図面に基づいて説明する。
【００１２】
図２は、本発明の実施形態にかかわる外付けＥＶＦカメラの構成例である。
【００１３】
図２において、１００は外付けＥＶＦ着脱可能な撮像装置である。１０３は外付けＥＶＦを装着するＥＶＦ  Ｉ／Ｆ部であり、２００の外付けＥＶＦが装着できる。１０１は撮影画像情報を表示する液晶表示部、１０２は撮像装置の移動状態を取得する加速度センサ、１１０は撮像装置の制御を行う制御回路、１０４は電源、シャッター、モード設定等、撮像装置設定のためのＵＩ、１２０は光学像を取り込むレンズであり、１２１はレンズを通して入力された光学像を電気信号に変換するＣＣＤセンサや、出力信号のアナログ信号処理を行う、相関二重サンプリング部、所望の増幅度に設定可能なプログラマブル・ゲイン・アンプ部、アナログデジタルコンバータ部等で構成される被写体画像をデジタル信号に変換する撮像回路である。１２２は被写体画像の出力先を切替えるスイッチである。また、不図示の電源供給回路、画像データ等を格納するＳＤカード等の記録媒体で構成される。２０１は外付けＥＶＦ２００に搭載された画像表示用の電子ファインダーであり、２０２は使用者が電子ファインダーをのぞいたことを検知する接眼センサである。
【００１４】
図１は、本発明の実施の形態に係る撮影表示部切り替え処理管理フローチャートである。
【００１５】
撮像装置１００は、制御回路１１１はＵＩ１０４を介してユーザーからの起動指示を受けると、撮影可能となるよう起動準備処理を行い、画像出力切り替え回路１２２の出力先を液晶表示部１０１にし、レンズ１２０から入力された被写体像の反射光を撮像回路１２１で視認可能な撮影画像に変換し、撮像装置の設定情報等を重畳して液晶表示部１０１に表示する（１０００）。
【００１６】
撮像装置１００が撮影可能状態となった後、制御回路１１１はＥＶＦ  Ｉ／Ｆ１０３で外付けＥＶＦ２００の装着の有無の監視を開始する（１００１）。装着を検知するとＥＶＦ  Ｉ／Ｆ１０３を介して外付けＥＶＦ２００に電源供給を行い、基本となる監視タイミングでＥＶＦ情報を取得する（１００２）。
【００１７】
取得したＥＶＦ情報で接眼検知を確認した場合、制御回路１１１は液晶表示部１０１をＯＦＦし（１００４）、画像出力切り替え回路１２２の出力先を外付けＥＶＦ２００に切り替え、レンズ１２０から入力された被写体の反射光を撮像回路１２１で視認可能な撮影画像に変換し、撮像装置の設定情報等を重畳して電子ファインダー２０１に表示する（１００５）。
【００１８】
取得したＥＶＦ情報で接眼非検知の場合、現在のＥＶＦ情報取得が通常速度の場合、加速度センサの情報を参照し、高速取得の場合は経過時間判定を行う（１００４）。通常取得時は、加速度センサ情報から移動経緯を確認し、下から上、または前から後への移動が一定値を超えた場合（１０１０）、ＥＶＦ情報取得タイミングを高速取得に変更する（１０１１）。また、高速取得となっていた場合は高速取得設定が一定時間経過したかどうかを判定し（１０１２）、一定時間経過している場合は通常取得の設定に変更する。
【符号の説明】
【００１９】
１００  撮像装置、１０１  液晶表示部、１０２  加速度センサ、
１０３  ＥＶＦ  Ｉ／Ｆ部、１１０  制御回路
【図１】
2019020553.tif 000003
【図２】
2019020553.tif 000004